(57)【特許請求の範囲】
【請求項１】
カウンタトップ内に設けられるコンロ器体と、カウンタトップ上に設けられる天板部と、コンロバーナとを備えるガスコンロにおいて、
前記コンロバーナは、外周に多数の炎孔を有するバーナヘッドと、該バーナヘッドの中央部から下方に延びるスロート部と、該スロート部を介してバーナヘッドを支持するホルダ部と、該ホルダ部に設けられて前記スロート部の下方から燃料ガスを噴出させるノズルとを備えて該ノズルの水平方向の周囲が前記スロート部への一次空気吸入部とされ、
前記天板部は、前記バーナヘッドが露出する天面板と、該天面板の外周に設けられて該天面板を前記カウンタトップの上面から所定の高さを存した位置に支持する枠体とを備え、
前記枠体は、少なくとも互いに対向する側壁面の夫々に水平方向に開口する一次空気取り入れ口を備え、
前記コンロバーナの少なくとも前記一次空気吸入部は、前記コンロ器体の内部でなく前記天板部の内部に配置され、
前記コンロバーナの前記一次空気吸入部は、前記枠体の前記一次空気取り入れ口と同等以上高いレベルに位置していることを特徴とするガスコンロ。
【請求項２】
前記コンロバーナの前記ホルダ部は、前記天板部の内部に配設されていることを特徴とする請求項１記載のガスコンロ。
【請求項３】
前記コンロバーナを操作する操作手段を備え、
該操作手段は、前記枠体の前側面に形成された貫通孔を介して前方に延びる操作柄部と、該操作柄部の先端に設けられて前記枠体の前側面から露出する操作摘みとを備え、
前記枠体の後側面に一方の前記一次空気取り入れ口を設けたとき、前記枠体の前側面に形成された貫通孔が他方の前記一次空気取り入れ口とされることを特徴とする請求項１又は２記載のガスコンロ。
【発明の詳細な説明】
【技術分野】
【０００１】
本発明は、ガスコンロに関する。
【背景技術】
【０００２】
システムキッチンのカウンタトップに設置される所謂ドロップイン式のガスコンロは、カウンタトップの上面よりも下方に設けられるコンロ器体と、コンロ器体の上面を覆ってカウンタトップの上面に露出する天板とで構成されている。
【０００３】
コンロ器体の内部には、コンロバーナの本体部分が収容されている。コンロバーナは、コンロ器体の内部で、燃料ガスを水平方向に噴出するノズルに対向するスロート部から、燃料ガスと共に燃焼用の一次空気を吸入する。
【０００４】
この種のガスコンロにおいては、コンロ器体の周壁や底壁等に開設された一次空気取り入れ口から一次空気を取り入れていた。しかし、コンロ器体がカウンタトップの内側にあってシステムキッチンの庫内の空気を一次空気として取り入れなければならないため、空気の流通が円滑に得られず、コンロバーナの燃焼不良が生じるおそれがあった。
【０００５】
一方、カウンタトップの上面から露出する天板に一次空気取り入れ口を開設することによって、カウンタトップの外側の空気を一次空気として取り入れるようにしたガスコンロが知られている（例えば、特許文献１参照）。
【先行技術文献】
【特許文献】
【０００６】
【特許文献１】特開２００４−０４４８６４号公報
【発明の概要】
【発明が解決しようとする課題】
【０００７】
しかし、天板に一次空気取り入れ口を開設しても、燃料ガスを噴出するノズルと、ノズルに対向するコンロバーナのスロート部は、コンロ器体の内部に収容されていて、天板よりも下方に位置している。このため、一次空気取り入れ口から流入した一次空気は、スロート部に達するまでの流動状態に屈曲や蛇行が生じやすく、一次空気を円滑に流動させてスロート部に供給することが困難であった。
【０００８】
また、コンロ器体の内部はその周壁や底壁により包囲されていることからコンロバーナの熱がこもりやすい。このため、コンロ器体の内部にこもった熱の影響によりコンロ器体の内部の空気流が不均一となりやすく、十分な量の一次空気をスロート部に向けて供給することが困難であった。
【０００９】
上記の点に鑑み、本発明は、カウンタトップに設置されていても、コンロバーナへの一次空気の供給が円滑に行え、十分な量の一次空気を供給してコンロバーナの良好な燃焼が得られるガスコンロを提供することを目的とする。
【課題を解決するための手段】
【００１０】
かかる目的を達成するために、本発明は、カウンタトップ内に設けられるコンロ器体と、カウンタトップ上に設けられる天板部と、コンロバーナとを備えるガスコンロにおいて、前記コンロバーナは、外周に多数の炎孔を有するバーナヘッドと、該バーナヘッドの中央部から下方に延びるスロート部と、該スロート部を介してバーナヘッドを支持するホルダ部と、該ホルダ部に設けられて前記スロート部の下方から燃料ガスを噴出させるノズルとを備えて該ノズルの水平方向の周囲が前記スロート部への一次空気吸入部とされ、前記天板部は、前記バーナヘッドが露出する天面板と、該天面板の外周に設けられて該天面板を前記カウンタトップの上面から所定の高さを存した位置に支持する枠体とを備え、前記枠体は、少なくとも互いに対向する側壁面の夫々に水平方向に開口する一次空気取り入れ口を備え、前記コンロバーナの少なくとも前記一次空気吸入部は、前記コンロ器体の内部でなく前記天板部の内部に配置され、前記コンロバーナの前記一次空気吸入部は、前記枠体の前記一次空気取り入れ口と同等以上高いレベルに位置していることを特徴とする。
【００１１】
本発明によれば、一次空気取り入れ口を天板部の枠体に設けたので、コンロ器体に設けた場合に比べ、十分な量の一次空気を取り入れることができる。また、バーナの一次空気吸入部が天板部の内部に配置されているので、枠体の一次空気取り入れ口とバーナの一次空気吸入部とが略対向し、一次空気取り入れ口から一次空気吸入部へ向う空気流に屈曲や蛇行の発生を抑制することができる。これにより、十分な量の一次空気を円滑に一次空気吸入部に供給することができる。
【００１２】
しかも、枠体の少なくとも互いに対向する側壁面の夫々に一次空気取り入れ口が設けられていることにより、一次空気吸入部の周囲の少なくとも対向する両側方向から共に一次空気を供給することができ、一次空気吸入部への一次空気の供給が一方に偏ることを防止することができる。
【００１３】
また、本発明において、前記コンロバーナの前記ホルダ部は、前記天板部の内部に配設されていることを特徴とする。
【００１４】
これによれば、コンロバーナがコンロ器体の内部には収容されていないので、コンロ器体の内部への熱のこもりを抑制することができる。また、一次空気流はコンロ器体の上方で天板部の内部に形成されるために、コンロ器体の内部への熱のこもりが生じても一次空気に対する影響は少ない。更に、一次空気流内にホルダ部が位置するので、一次空気流によるホルダ部の冷却効果が得られ、コンロバーナの過剰な温度上昇を抑えることができる。
【００１５】
また、本発明においては、前記コンロバーナを操作する操作手段を備え、該操作手段は、前記枠体の前側面に形成された貫通孔を介して前方に延びる操作柄部と、該操作柄部の先端に設けられて前記枠体の前側面から露出する操作摘みとを備え、前記枠体の後側面に一方の前記一次空気取り入れ口を設けたとき、前記枠体の前側面に形成された貫通孔が他方の前記一次空気取り入れ口とされることを特徴とする。貫通孔を一次空気取り入れ口と兼用することにより、使用者がこれを一次空気取り入れ口として認識することはなく、一次空気取り入れ口を設けたことによる外観の低下を防止することができる。
【図面の簡単な説明】
【００１６】
【図１】本発明の実施形態のガスコンロの設置状態を示す斜視図。
【図２】本実施形態のガスコンロの説明的正面図。
【図３】本実施形態のガスコンロの説明的側面断面図。
【図４】本実施形態のガスコンロの説明的背面図。
【図５】本実施形態のガスコンロの要部を拡大して示す説明図。
【図６】本実施形態のガスコンロにおける天板部の分離状態を示す説明的断面図。
【発明を実施するための形態】
【００１７】
本発明の一実施形態を図面に基づいて説明する。本実施形態のガスコンロ１は、図１に示すように、システムキッチンのカウンタトップ２に形成されたコンロ用開口３（図２参照）に落とし込むようにして設置されるドロップインコンロである。
【００１８】
ガスコンロ１は、図２に示すように、コンロ器体４と、天板部５と、コンロバーナ６とを備えている。コンロ器体４は、図３に示すように、大略四角筒状の周壁７と、その底部を閉塞する底壁８とで構成されている。コンロ器体４の周壁７の上端には外側に水平に張り出す鍔部９が形成されている。鍔部９は、コンロ用開口３の周縁上面に掛止される。これにより、コンロ器体４は、コンロ用開口３の内側に吊設状態となる。
【００１９】
天板部５は、図１及び図３に示すように、コンロ器体４の上面を覆ってカウンタトップ２の上部に露出する。天板部５は、図３に示すように、平板状の天面板１０と、天面板１０の外周を囲って天面板１０を保持する枠体１１とで構成されている。
【００２０】
天面板１０は、耐熱ガラス板或いは比較的厚手の金属板により形成され、図示省略したコーキング材により枠体１１の上端部内側に接着されている。なお、図２及び図３に示すように、コンロ器体４の鍔部９には、天面板１０を支えるための複数の天面板支持部材１２が設けられている。天面板支持部材１２は、天面板１０の周縁部の下面に当接する。これにより、極めて大きな荷重が天面板１０に付与されても、その荷重はコンロ器体４の鍔部９を介してカウンタトップ２で支えられ、更に、枠体１１からの天面板１０の脱落が確実に防止される。
【００２１】
枠体１１は、所定の高さを有する周壁を備えている。この周壁は、図示しない平ネジ等によりコンロ器体４の鍔部９に連結された台枠部１３と、台枠部１３の上端部に分離可能に載置された上枠部１４とで構成されている。
【００２２】
図３に示すように、台枠部１３は、その略全周に、上枠部１４が着座する着座面１３ａと、着座面１３ａの内側に沿って起立する内縦壁１３ｂとを備えている。これにより、上枠部１４は、着座面１３ａに着座した状態で内縦壁１３ｂにより規制されて水平方向への移動が規制され、台枠部１３に対する上枠部１４の位置ずれが防止される。また、着座面１３ａの内側に内縦壁１３ｂが起立していることにより、万一煮汁等が上枠部１４と台枠部１３の着座面１３ａとの間に侵入するような事態が生じても、内縦壁１３ｂによって天板部５の内側への煮汁等の侵入を確実に阻止することができる。更に、図３及び図５に示すように、内縦壁１３ｂの外側面に傾斜を形成しておくことにより、上枠部１４を台枠部１３に載置する際に、上枠部１４が内縦壁１３ｂの傾斜に案内されて着座面１３ａへの着座が円滑に行われる。
【００２３】
天面板１０は、カウンタトップ２の上面から所定の高さを存した位置に設けられているが、これは、上枠部１４が、その上端部内側に天面板１０を保持していることによるものである。これにより、天板部５は、コンロ器体４の上方であってカウンタトップ２の上面よりも高い位置に、天面板１０と枠体１１とによる比較的広い内部空間を形成している。
【００２４】
コンロバーナ６は、図３に示すように、バーナヘッド１５と、スロート部１６と、ホルダ部１７とを備えている。バーナヘッド１５は、円周側面に多数の炎孔１８を備え、天面板１０に形成されたバーナ用開口１９を介して天面板１０の上方に配設されている。スロート部１６は、バーナヘッド１５の内部に連通する円筒状に形成され、バーナヘッド１５の中央部から下方に向って延設されている。
【００２５】
ホルダ部１７は、アルミニウム製ブロック材により形成され、スロート部１６を着脱自在に支持するスロート支持部２０と、スロート支持部２０の下方に対向する基体部２１とを備えている。スロート支持部２０は、スロート部１６と共にバーナヘッド１５を支持している。スロート支持部２０と基体部２１とは、支柱部２２によって一体に連結されている。
【００２６】
基体部２１の内部には、燃料ガスの供給路２３が形成されている。基体部２１の上面側には、燃料ガスの供給路２３に連通するノズル２４が設けられている。ノズル２４は、基体部２１とスロート支持部２０との間に立設され、スロート部１６の軸心に沿って上向きに燃料ガスを噴出する。
【００２７】
ノズル２４から噴出される燃料ガスは、ノズル２４の水平方向の周囲から燃焼用の一次空気を引き込みながらスロート部１６を通過してバーナヘッド１５に向う。このように、ノズル２４の水平方向の周囲である基体部２１とスロート支持部２０との間の空隙が、このコンロバーナ６の一次空気吸入部２５となっている。
【００２８】
バーナヘッド１５は、その内部において、スロート部１６を通過した燃料ガスと一次空気とが混合された混合ガスを生成し、炎孔１８から噴出させる。そして、バーナヘッド１５の炎孔１８から噴出する混合ガスにより火炎が形成される。
【００２９】
ホルダ部１７の支柱部２２には点火プラグ２６が支持されている。点火プラグ２６は、図示しないイグナイタの駆動によりバーナヘッド１５との間に点火のための火花放電を発生させる。
【００３０】
コンロ器体４の底壁８にはホルダ部１７を支持するバーナ支持台２７が設けられている。バーナ支持台２７は、金属片を折り曲げることにより形成され、カウンタトップ２の上面よりも高い位置にホルダ部１７を支持している。これにより、コンロバーナ６はコンロ器体４の内部にはなく、コンロバーナ６の一次空気吸入部２５は、天面板１０と枠体１１とによる天板部５の内部に位置される。
【００３１】
ここで、図３及び図４に示すように、枠体１１の後側面には、一次空気取り入れ口２８が開設されている。また、枠体１１の前側面には後述するレバー貫通孔２９（貫通孔）が形成されており、このレバー貫通孔２９も他の一次空気取り入れ口として機能する。一次空気取り入れ口２８とレバー貫通孔２９とは、何れも水平方向に開口している。
【００３２】
一次空気取り入れ口２８及びレバー貫通孔２９は、図３に示すように、カウンタトップ２の上部に位置していることにより、例えば、カウンタトップ２の上面より下方に位置するコンロ器体４の周壁７に一次空気取り入れ口を設けた場合に比べて、一次空気流の屈曲や蛇行が殆どなく、十分な量の一次空気を円滑に取り入れることができる。
【００３３】
また、前述した通り、コンロバーナ６の一次空気吸入部２５は、天面板１０と枠体１１とによる天板部５の内部に位置されていることにより、コンロバーナ６の一次空気吸入部２５と、枠体１１の後側面の一次空気取り入れ口２８と、枠体１１の前側面のレバー貫通孔２９とは、何れも略同等のレベルに位置する。
【００３４】
これにより、一次空気取り入れ口２８とレバー貫通孔２９とから一次空気吸入部２５に向う空気流を円滑且つ確実に形成することができる。更に、一次空気取り入れ口２８とレバー貫通孔２９とが枠体１１の前後の側面にあって互いに対向していることにより、一次空気吸入部２５に向う空気流が前後方向から偏ることなく形成することができる。
【００３５】
また、前述した通り、バーナ支持台２７により支持されたコンロバーナ６のホルダ部１７は、コンロ器体４の内部にはなく、枠体１１の内部でカウンタトップ２の上面よりも高い位置にある。
【００３６】
これにより、コンロ器体４の内部への熱のこもりを抑制することができる。また、一次空気流はコンロ器体４の上方に形成されるために、コンロ器体４の内部への熱のこもりが生じても一次空気に対する影響は少ない。また、ホルダ部１７は、枠体１１の内部で形成される一次空気流に接するので、一次空気流によるホルダ部１７の冷却効果が得られ、コンロバーナ６の過剰な温度上昇を抑えることができる。
【００３７】
しかも、一方の一次空気取り入れ口２８は、枠体１１の後側面にあって使用者に視認されることはなく、他方の一次空気取り入れ口をレバー貫通孔２９としたことにより、図１に示すように高い美観を維持して外観が一次空気取り入れ口により阻害されることがない。なお、一次空気取り入れ口は、枠体１１の前後の側面に限らず左右の側面に設けても良い。
【００３８】
ところで、天板部５の内部には一次空気流が形成されるが、天板部５の上部には天面板１０のバーナ用開口１９が位置しているため、バーナ用開口１９からの一次空気流の流出を防止する必要がある。そこで、図３に示すように、天面板１０は、バーナ用開口１９を閉塞する略円盤状の閉塞板３０を備えている。これにより、一次空気流がバーナ用開口１９を通過して上方に抜けることはない。
【００３９】
閉塞板３０は、バーナ用開口１９の内周縁に装着された環状部材３１上に載置される。また、天面板１０には五徳３２が載置されている。五徳３２は、複数の五徳爪３３とこれらの五徳爪３３を連結する環状の連結部材３４とで構成されている。なお、図示しないが、閉塞板３０には、点火プラグ２６及び失火検知用のセンサ類を貫通させるための小孔が形成されており、点火プラグ２６や失火検知用のセンサ類と小孔との隙間を封止する封止部材を設けることにより、天板部５の内部からの一次空気の漏れやバーナ用開口１９からガスコンロ１の内部への煮こぼれ汁等の侵入が防止されている。
【００４０】
コンロ器体４には、図３及び図５に示すように、ガスコック３５が収容されている。ガスコック３５は、コンロ器体４の周壁７の前面側を構成する前壁７ａの近傍位置に配置されている。ガスコック３５は、図示しない火力調整弁が内蔵されたコック胴部３６と、火力調整弁を操作する操作手段３７とを備えている。
【００４１】
コック胴部３６には、イグナイタ用の点火スイッチ３８が取り付けられている。また、コック胴部３６には、燃料ガスを導入する金属製のガス導管３９が接続状態で固定されている。更に、コック胴部３６からは、コンロバーナ６に燃料ガスを供給するガス供給管４０が延出している。ガス供給管４０は、ホルダ部１７の基体部２１に接続され、基体部２１の供給路２３を介してノズル２４に連通している。
【００４２】
ガス導管３９は、図３及び図４に示すように、コンロ器体４の周壁７の後面側を構成する後壁７ｂを貫通して設けられたガスホース接続部４１に接続されている。なお、図３において図示省略したガス導管３９とガスホース接続部４１との間には、ガスガバナ等が介設されている。また、図示しないが、ガスホース接続部４１にはガスホースが接続され、ガスホースは外部の燃料ガス供給源に接続される。
【００４３】
コック胴部３６は、図５に示すように、その上端部から前方に張り出す張出部４２を一体に備えている。この張出部４２は、コンロ器体４の前壁７ａの上端部に設けられた係止部４３により係止される。係止部４３は、コンロ器体４の前壁７ａの上縁の鍔部９の上面と、この鍔部９に溶接等により固着された押え部材４４とにより構成されている。コック胴部３６の張出部４２は、コンロ器体４の鍔部９の上面と押え部材４４とに上下から挟持され、コンロ器体４に係止された状態となる。この構成により、コック胴部３６の前端側とコンロ器体４の前壁７ａとの、例えばネジ等を用いた連結が不要となる。よって、ガスコック３５のコンロ器体４への取り付け工数が削減できる。
【００４４】
また、コック胴部３６のガス導管３９は、コンロ器体４の固定部４５により固定されている。固定部４５は、コンロ器体４の底壁８に固定された固定台４６と、固定台４６上にネジ止め連結された金属帯４７とにより構成される。金属帯４７は、ガス導管３９を内包して固定台４６にネジ止めされることにより、ガス導管３９を固定台４６上に固定する。これにより、コック胴部３６がガス導管３９を介してコンロ器体４の底壁８に固定される。更に、固定台４６には、コック胴部３６の底面に当接してコック胴部３６を下方から支持するコック胴部支持部４８が連設されている。
【００４５】
ガスコック３５をコンロ器体４に取り付けるときには、先ず、コック胴部３６の張出部４２をコンロ器体４の係止部４３に差し込み、次いで、コック胴部３６の底面をコック胴部支持部４８に当接させる。続いて、金属帯４７により固定台４６上にガス導管３９をネジ止め固定する。このように、コンロ器体４へのガスコック３５の取り付けは、ガス導管３９のネジ止め固定作業を上方から行えばが完了するので、作業性が極めて高い。また、係止部４３によってコック胴部３６とガス導管３９との設置位置が決まってから金属帯４７で固定するので、ガス導管３９の固定時にコック胴部３６に掛かる負荷を軽減することができる。
【００４６】
コック胴部３６の上部には、操作手段３７が設けられている。操作手段３７は、操作レバー４９（操作柄部）を備えている。操作レバー４９は、コック胴部３６に設けられた枢軸５０を介して水平方向に回動自在の回動板５１に設けられている。回動板５１は、軸受け５２と揺動軸５３とを備えており、揺動軸５３を介して操作レバー４９を上下方向に揺動自在に支持している。また、操作レバー４９の後端側と回動板５１との間には操作レバー４９の姿勢維持のためのバネ５４が設けられている。
【００４７】
操作レバー４９を水平方向にスライド移動させると、その動きがコック胴部３６の上部に設けられた弁動作軸５５に伝達される。そして、弁動作軸５５の回動により、コック胴部３６に内蔵された図示しない火力調整弁が作動する。
【００４８】
操作レバー４９の先端部には、操作摘み５６が取り付けられている。操作摘み５６はネジ部材５７をその下方から螺着することにより操作レバー４９の先端部に固定されている。操作摘み５６の下面には、ネジ部材５７の頭部を収容して使用者からの視認を防止すべく窪みが形成されている。この窪みがネジ部材５７の頭部に埋められることにより、操作摘み５６とカウンタトップ２との間の間隙が狭くなる。これにより、操作摘み５６とカウンタトップ２との間に使用者の指が入り込むことがなく、操作摘み５６の円滑な操作を行うことができる。
【００４９】
操作レバー４９は、前方に水平に延びて天板部５の枠体１１に形成されたレバー貫通孔２９を通って枠体１１の前側面から延出する。レバー貫通孔２９は、図１及び図２に示すように、操作レバー４９の移動範囲に対応する横長形状に形成されている。本実施形態のガスコンロ１においては、操作摘み５６を操作して操作レバー４９をレバー貫通孔２９の図中左端部から右端部に移動させると、火力が次第に大きくなるようになっている。
【００５０】
天板部５は、カウンタトップ２の上部に位置している。この天板部５の枠体１１の前側面から操作レバー４９を延出させることで、操作摘み５６はカウンタトップ２の上部に位置する。これによれば、カウンタトップ２の下方に操作摘みが配設された従来のガスコンロに比べて、使用者が操作摘み５６を視認しやすく、操作摘み５６の操作性も高い。
【００５１】
また、操作摘み５６が天板部５の枠体１１の前側面に位置しているので、天面板１０の上面に広い調理スペースが確保できる。しかも、天面板１０から操作摘み５６への伝達熱が少なく、操作摘み５６が高温になり難いので操作時に使用者の不快感を軽減することができる。
【００５２】
更に、図１及び図５に示すように、操作摘み５６は、カウンタトップ２の前端と天板部５の枠体１１の前側面との間に位置している。即ち、操作摘み５６は、カウンタトップ２よりも前方には突出していない。これによれば、調理の際に操作摘み５６への不用意な接触が防止できるので、操作手段３７の誤動作を防止することができる。
【００５３】
また、本実施形態においては、操作レバー４９によるスライド操作を採用したので操作手段３７の上下方向の寸法を小さくすることができ、図１及び図２に示すように、カウンタトップ２上に露出する天板部５の美観を向上させることができる。
【００５４】
また、前述したように、ガスコック３５がコンロ器体４に固定されたとき、係止部４３への張出部４２の係止によってコンロ器体４とコック胴部３６との間に位置ずれのない状態で固定されるので、レバー貫通孔２９に対する操作レバー４９の位置精度が高く、操作レバー４９を円滑に操作することができる。
【００５５】
また、図２に示すように、レバー貫通孔２９は、その図中左端部が消火位置として他部より上下方向の開口幅が大きく形成されている。消火位置の操作レバー４９は、レバー貫通孔２９における上下方向の開口幅が大きい部分で上方に位置され、操作摘み５６を水平方向に移動させようとしても図中右方向には移動させることができない状態となる。これにより、不用意な操作レバー４９の移動による点火が防止される。点火操作時には、操作摘み５６を下方に押し下げてから水平方向に移動させる。
【００５６】
ここで、図５に示すように、点火操作の際に操作摘み５６を下方に押し下げると、操作レバー４９を介してガスコック３５に下方向の荷重が付与される。更に、操作摘み５６を下方に押し下げた状態で操作摘み５６を水平方向に移動させると、操作レバー４９を介してガスコック３５に左右方向の荷重が付与される。しかし、前述した通り、本実施形態によれば、コック胴部３６は、係止部４３、固定部４５、及びコック胴部支持部４８によって他方向から確実に固定されるので、操作レバー４９の操作時に上下方向或いは左右方向の荷重が付与されても、ガスコック３５の固定状態が確実に維持される。
【００５７】
また、図５に示すように、操作レバー４９が操作時に押し下げられて下方に揺動すると、操作レバー４９とレバー貫通孔２９の下縁とが干渉して操作レバー４９やレバー貫通孔２９の下縁が傷つくおそれがある。そこで、本実施形態においては、操作レバー４９に合成樹脂製の被覆部材５８を設けている。これによれば、操作レバー４９が下方に揺動しても被覆部材５８がレバー貫通孔２９に円滑に摺接し、操作レバー４９やレバー貫通孔２９の下縁の傷つきが防止できる。
【００５８】
レバー貫通孔２９は、図２に示すように、天板部５の枠体１１を水平方向に貫通して形成されている。このため、天板部５の天面板１０上の煮こぼれ汁が枠体１１を伝わって流下しても、レバー貫通孔２９からコンロ器体４内部への煮こぼれ汁の侵入は極めて少ない。
【００５９】
しかし、例えば、使用者が調理を行う際に鍋の取り扱いを誤って煮汁をこぼす等の事態が生じて、ガスコンロ１の正面側から多量の煮汁が掛かってしまうと、煮汁の一部がレバー貫通孔２９からコンロ器体４内部へ流入することが考えられる。
【００６０】
そこで、図２及び図５に示すように、コック胴部３６の張出部４２を係止する押え部材４４には、防水壁５９が一体に設けられている。防水壁５９は、押え部材４４に設けることにより、レバー貫通孔２９に対向すると共にコック胴部３６の上部前方に位置するので、万一レバー貫通孔２９から煮こぼれ汁が侵入してもガスコック３５への付着を防止できる。
【００６１】
また、防水壁５９は、操作レバー４９の水平移動を阻害しない高さに立設されている。更に、図５に示すように、操作レバー４９が操作時に押し下げられて下方に揺動したときに、防水壁５９の先端が操作レバー４９に当接し、これ以上の操作レバー４９の揺動を規制する高さに形成されている。これにより、操作レバー４９が下方に押し下げられたときにガスコック３５に付与される下方向の荷重を防水壁５９が設けられている係止部４３を介してコンロ器体４で受けることができる。
【００６２】
また、前述の通り、ガスコンロ１は、天板部５の枠体１１が台枠部１３と上枠部１４とで分割可能とされている。これによれば、図６に示すように、上枠部１４を持ち上げるだけで極めて容易にコンロ器体４の上部全体が開放状態となる。更に、図２に示すように、分割位置となる台枠部１３と上枠部１４との境界である水平方向の線は、レバー貫通孔２９を通る。これにより、図６に示すように、上枠部１４を持ち上げると、操作レバー４９及び操作摘み５６の上方が開放される。
【００６３】
このように、コンロ器体４の上部が容易に開放状態となるので、例えば、ガスコック３５のメンテナンスの際に操作摘み５６を操作レバー４９から取り外すといった煩わしい作業を不要とすることができ、コンロ器体４内部のメンテナンス作業が容易に行える。
【００６４】
更に、ガスコック３５は、コック胴部３６の上端部の張出部４２がコンロ器体４の前壁７ａの上端部の係止部４３に係止され、コンロ器体４の固定部４５でガス導管３９を固定することにより、コンロ器体４にとりつけられている。これにより、図６に示すように、枠体１１の上枠部１４を持ち上げてコンロ器体４の上部を開放させるだけで、ガスコック３５の取り付けや取り外し作業が容易に行えるようになる。このように、本実施形態のガスコンロ１は天板部５の枠体１１が上下に分割自在とされていることにより、メンテナンス時の作業性が極めて高い。
【符号の説明】
【００６５】
１…ガスコンロ、２…カウンタトップ、４…コンロ器体、５…天板部、６…コンロバーナ、１０…天面板、１１…枠体、１５…バーナヘッド、１６…スロート部、１７…ホルダ部、１８…炎孔、２４…ノズル、２５…一次空気吸入部、２８…一次空気取り入れ口、２９…レバー貫通孔（貫通孔）、３７…操作手段、４９…操作レバー（操作柄部）、５６…操作摘み。
【図１】
0005616321.tif 000002
【図２】
0005616321.tif 000003
【図３】
0005616321.tif 000004
【図４】
0005616321.tif 000005
【図５】
0005616321.tif 000006
【図６】
0005616321.tif 000007